(57)【要約】      （修正有）【課題】記録容量が大きく、且つ記録情報が保護されると共に、コストも低減され、さらに使用料金が比較的高い情報の販売システムに適用される。【解決手段】データ格納エリア１５と、情報格納エリア１６と、システムエリア１７とを備えた記録媒体であって、コンテンツを特定する情報が情報格納エリア１６に記録される。この情報格納エリア１６に記録された、量的制限情報としてのプログラム数データ１６ａ、使用期間限定情報としての使用期限データ１６ｂ、分野限定情報としてのジャンルデータ１６ｃ、権利者限定情報としてのアーティストデータ１６ｄ、販売者限定情報としての販売業者データ１６ｅ、権利者限定情報としての権利者データ１６ｆ、記録利用情報としての利用ログデータ１６ｇに基づいて、コンテンツがデータ格納エリア１５に記録される。【選択図】図３
2008165977.tif 000002
【特許請求の範囲】
【請求項１】
コンテンツが記録されるデータ記録領域を備えたデータ記録媒体であって、
上記コンテンツは、上記コンテンツを特定する情報に基づいて限定され、上記データ記録領域に記録されることを特徴とするデータ記録媒体。
【請求項２】
上記コンテンツを特定する情報は、上記コンテンツの種類を特定する情報であることを特徴とする請求項１に記載のデータ記録媒体。
【請求項３】
上記コンテンツの種類を特定する情報は、上記コンテンツの分野限定情報であることを特徴とする請求項２に記載のデータ記録媒体。
【請求項４】
上記コンテンツの種類を特定する情報は、上記コンテンツの販売者限定情報であることを特徴とする請求項２に記載のデータ記録媒体。
【請求項５】
上記コンテンツの種類を特定する情報は、上記コンテンツの権利者限定情報であることを特徴とする請求項２に記載のデータ記録媒体。
【請求項６】
上記コンテンツを特定する情報は、上記データ記録領域に予め記録されていることを特徴とする請求項１に記載のデータ記録媒体。
【請求項７】
上記データ記録領域が追記可能なデータ記録領域であって、上記データ記録媒体に記録された信号は、消去することができない構成となっていることを特徴とする請求項１に記載のデータ記録媒体。
【請求項８】
上記データ記録媒体の使用期間限定情報が、上記データ記録領域に予め記録されていることを特徴とする請求項１に記載のデータ記録媒体。
【請求項９】
上記コンテンツの時間限定情報が、上記データ記録領域に予め記録されていることを特徴とする請求項１に記載のデータ記録媒体。
【請求項１０】
上記コンテンツ情報の記録時に、記録した情報に対応して、記録利用情報が、上記データ記録領域に記録されることを特徴とする請求項１に記載のデータ記録媒体。
【請求項１１】
コンテンツが記録されるデータ記録領域を備えたデータ記録媒体に情報を記録するデータ記録部を含んでいるデータ記録装置であって、
上記コンテンツは、上記コンテンツを特定する情報に基づいて限定され、上記データ記録領域に記録される
ことを特徴とするデータ記録装置。
【請求項１２】
上記コンテンツを特定する情報は、上記コンテンツの種類を特定する情報であることを特徴とする請求項１１に記載のデータ記録装置。
【請求項１３】
上記コンテンツの種類を特定する情報は、上記コンテンツの分野限定情報であることを特徴とする請求項１２に記載のデータ記録装置。
【請求項１４】
上記コンテンツの種類を特定する情報は、上記コンテンツの販売者限定情報であることを特徴とする請求項１２に記載のデータ記録装置。
【請求項１５】
上記コンテンツの種類を特定する情報は、上記コンテンツの権利者限定情報であることを特徴とする請求項１２に記載のデータ記録装置。
【請求項１６】
上記コンテンツを特定する情報は、上記データ記録領域に予め記録されていることを特徴とする請求項１１に記載のデータ記録装置。
【請求項１７】
上記データ記録領域が追記可能なデータ記録領域であって、上記データ記録媒体に記録された信号は、消去することができない構成となっていることを特徴とする請求項１１に記載のデータ記録装置。
【請求項１８】
上記データ記録媒体の使用期間限定情報が、上記データ記録領域に予め記録されていることを特徴とする請求項１１に記載のデータ記録装置。
【請求項１９】
上記コンテンツの時間限定情報が、上記データ記録領域に予め記録されていることを特徴とする請求項１１に記載のデータ記録装置。
【請求項２０】
上記コンテンツ情報の記録時に、記録した情報に対応して、記録利用情報が、上記データ記録領域に記録されることを特徴とする請求項１１に記載のデータ記録装置。
【発明の詳細な説明】
【技術分野】
【０００１】
本発明は、データ記録媒体及びデータ記録装置に関し、特に所謂プリペイド型のデータ記録媒体及びこのデータ記録媒体のデータ記録装置に関するものである。
【背景技術】
【０００２】
一般に、所謂プリペイドカードは、例えば電車，バス等の交通機関や公衆電話等における料金支払いのために広く使用されている。
このような料金支払いシステムにおけるプリペイドカードは、予め購入金額が磁気テープ等に記録されており、使用の際に、改札機や電話機に設けられたカードリーダに挿入することにより、カードリーダが当該プリペイドカードに記録されている残存金額を読み取って、使用頻度に応じて、使用料金を差し引いた残存金額をプリペイドカードの磁気テープ等に再記録するようになっている。
【発明の開示】
【発明が解決しようとする課題】
【０００３】
ところで、このようなプリペイドカードは、構造が単純であることから、記録容量が少なく、例えば音楽プログラム等を記録するようなことは実質的に不可能である。
【０００４】
また、このようなプリペイドカードは、偽造等が容易に行なわれ得ることから、市場でも問題になってきており、例えば音楽プログラム等のような使用料金が比較的高い情報の販売システムとして採用することは困難である。
【０００５】
これに対して、所謂ＩＣカードを利用したプリペイドカードも知られているが、プリペイドカード自体が高価になってしまうという問題があった。
【０００６】
この発明は、以上の点に鑑み、記録容量が大きく、且つ記録情報が保護されると共に、コストも低減され、さらに使用料金が比較的高い情報の販売システムに適用されるようにした、データ記録媒体及びデータ記録装置を提供することを目的としている。
【課題を解決するための手段】
【０００７】
上述した課題を達成するために、この発明は、コンテンツが記録されるデータ記録領域を備えたデータ記録媒体であって、コンテンツは、コンテンツを特定する情報に基づいて限定され、データ記録領域に記録されることを特徴とするデータ記録媒体により、達成される。
【０００８】
また、上述した課題を達成するために、この発明は、コンテンツが記録されるデータ記録領域を備えたデータ記録媒体に情報を記録するデータ記録部を含んでいるデータ記録装置であって、コンテンツは、コンテンツを特定する情報に基づいて限定され、データ記録領域に記録されることを特徴とするデータ記録装置により、達成される。
【発明の効果】
【０００９】
この発明に依れば、コンテンツを特定する情報に基づいてコンテンツがデータ記録領域に記録されるので、当該特定された情報に基づいたコンテンツをデータ記録領域に記録することができる。従って、記録容量が大きく、且つ記録情報が保護されると共に、コストも低減され、さらに特定のアーティスト、販売業者（販売系列店）や出版社、作曲者、作詞者等に楽曲を限定して記録を行なうことも可能となる。
【発明を実施するための最良の形態】
【００１０】
以下、この発明の好適な実施形態を図１乃至図５を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１１】
図１は、本発明の実施の形態に係るデータ記録装置の構成を示している。
図１において、データ記録装置１０は、情報として例えば音楽を記録するデータ記録装置であって、データ記録部１１と、データ供給部２０と、から構成されている。
【００１２】
上記データ記録部１１は、例えば店舗や使用者の自宅に設置されていて、追記型データ記録媒体として所謂ＣＤ（コンパクトディスク）−Ｒ１２を再生して、プリペイド情報（後述）を読み出す情報読み出し手段１３と、記録すべき情報を記録する記録部１４と、を含んでいる。
【００１３】
これに対して、データ供給部２０は、例えばデータ供給事業者の店舗や事業所等に設置されていて、データ記録部１１が読み出し部１３により読み出したＣＤ−Ｒ１２のプリペイド情報及びデータ要求内容が入力される認証部２１と、認証部２１により認証が行なわれたとき、データ要求内容に基づいて、要求されている情報を出力するデータベース２２と、を含んでいる。
さらに、上記データ記録部１１とデータ供給部２０は、互いに公衆回線，専用回線等の回線を介して、あるいは無線により接続されている。
【００１４】
ここで、上記ＣＤ−Ｒ１２は、図２及び図３に示すように、構成されている。
図２において、ＣＤ−Ｒ１２は、ディスク状に構成されていると共に、そのデータ記録領域が、同心状に形成されたデータ格納エリア１５と、その内側に形成された情報格納エリア１６と、さらにその内側に形成されたシステムエリア１７と、から構成されている。
【００１５】
上記情報格納エリア１６は、トラックにリザーブ（ＰＭＡ（プログラム・メモリー・エリア）にトラック情報を登録し且つ実際にはトラックには何も記録しない状態）し、あるいはデータ格納エリア１５の最後端を利用することにより、プリペイド情報領域の大きさが固定されるように構成されている。
これらの各データ即ちプリペイド情報は、例えば固定長パケット記録方式により記録されるが、他の記録方式例えばトラックアットワンス記録方式や可変長パケット記録方式によって記録されるようにしてもよい。
【００１６】
また、上記情報格納エリア１６は、プリペイド情報領域の大きさを使用金額に直接に対応させなくてもよい。すなわち、例えば記録すべき情報に関するその他の情報を上記情報格納エリア１６に記録することも可能である。具体的には、ＣＤ−Ｒ１２は、図３に示すように、量的制限情報としてのプログラム数データ１６ａ，使用期間限定情報としての使用期限データ１６ｂ，分野限定情報としてのジャンルデータ１６ｃ，権利者限定情報としてのアーティストデータ１６ｄ，販売者限定情報としての販売業者データ１６ｅ，権利者限定情報としての権利者データ１６ｆ，記録利用情報としての利用ログデータ１６ｇを含んでいる。
【００１７】
図４は、上記データ記録部１１の電気的構成を示している。
図４において、データ記録部１１は、ＣＤ−Ｒ１２を回転駆動するためのスピンドルモータ３１と、ＣＤ−Ｒ１２に対して情報の記録・再生を行なうための光学ピックアップ３２と、光学ピックアップ３２からの再生信号が入力される復調回路３３とを有している。
【００１８】
また、データ記録部１１は、上記復調回路３３からの復調信号から各再生データを取り出す再生データ処理回路３４と、再生データ処理回路３４から各再生データに基づいて照合を行なう条件照合処理部３５と、条件照合処理部３５と前記データ供給部２０との間のデータ入出力を行なうデータ入出力処理部３６とをも有している。
さらに、データ記録部１１は、上記データ入出力処理部３６からの条件照合処理部３５を介して入力される記録データを処理する記録データ処理回路３７と、記録データ処理回路３７から信号を変調して記録信号として光学ピックアップに出力する変調回路３８とを有している。
そして、データ記録部１１は、上記条件照合処理部３５及びデータ入出力処理部３６の制御を行なう制御部３９と、制御部３９からの信号を表示する表示部４０と、制御部４０に対して入力操作を行なうキー入力部４１とを備えている。
【００１９】
このような構成のデータ記録部１１によれば、スピンドルモータ３１が回転することにより、ＣＤ−Ｒ１２が回転駆動される。そして、光学ピックアップ３２がＣＤ−Ｒ１２の情報格納エリア１６の各データ１６ａ乃至１６ｇを読み出す。
この読み出された各データ１６ａ乃至１６ｇは、復調回路３３で復調された後、再生データ処理回路３４で各データ１６ａ乃至１６ｇとして抽出される。
【００２０】
また、条件照合処理部３５には、データ入出力処理部３６を介して、データ供給部２０から条件データが入力され、条件照合処理部３５は、上記各データ１６ａ乃至１６ｇをこの条件データと照合する。照合した結果、条件が一致した楽曲については、その楽曲のリストが制御部３９から表示部４０に表示される。このとき使用者は、楽曲のリストから希望する楽曲をキー入力部４１により選択入力することになる。
【００２１】
この入力により、条件照合処理部３５は、データ入出力処理部３６を介してデータ供給部２０に選択された楽曲データを要求し、データ供給部２０からデータ入出力処理部３６を介して要求された楽曲データが入力される。
【００２２】
この要求された楽曲データは、条件照合処理部３５から記録データ処理回路３７に入力される。これにより、記録データ処理回路３７は、要求された楽曲に関する楽曲識別コードを参照して記録利用データ（利用ログデータ）を生成して、上記要求された楽曲データと共に変調回路３８に出力する。
【００２３】
かくして、変調回路３８で変調された要求された楽曲データが光学ピックアップ３２によりＣＤ−Ｒ１２のデータ格納エリア１５に記録されると共に、記録利用データがＣＤ−Ｒ１２の情報格納エリア１６の利用ログデータ１６ｇに書き込まれる。
【００２４】
尚、上述した条件照合処理部３５において行われる照合、すなわち、データ供給部２０からの条件データとＣＤ−Ｒ１２から読み出された各データ１６ａ乃至１６ｇとの照合の際には、すべてのデータが照合されるように構成することは可能である。しかし、これと異なり、データ供給部２０側またはデータ記録部１１側で予めフリーマークが付されたデータに関しては、照合を行なわないように構成してもよい。
【００２５】
したがって、上記各データ１６ａ乃至１６ｇに関して、それぞれデータ供給部２０側またはデータ記録部１１側で予めフリーマークを付すことにより、これらの組合せに応じて、多様な照合条件を設定することが可能となる。
【００２６】
例えば、使用期限データ１６ｂを照合することによって、使用期限即ちＣＤ−Ｒ１２の情報記録の期限を設けて、一定期間内の短期での楽曲普及または販売を企図することも可能である。
【００２７】
また、ジャンルデータ１６ｃを照合することによって、例えば特定のジャンル、例えばジャズの楽曲に限定して記録を行なうことにより、ジャズの普及を図ることも可能になる。
【００２８】
さらに、アーティストデータ１６ｄ，販売業者データ１６ｅ，権利者データ１６ｆを照合することにより、特定のアーティスト，販売業者（販売系列店）や出版社，作曲者，作詞者等に楽曲を限定して記録を行なうことも可能である。
尚、ＣＤ−Ｒ１２への記録時に、特定の楽曲を必ず記録するようにすることも可能となり、特定の楽曲のキャンペーン等に利用することができる。
【００２９】
本発明の実施の形態によるデータ記録装置１０は、以上のように構成されており、データ記録媒体としてのＣＤ−Ｒ１２は、以下に示すように楽曲が記録される。
すなわち、図５に示すように、利用者Ａは、販売店（または販売メーカ）４１からＣＤ−Ｒ１２を購入する。この場合、ＣＤ−Ｒ１２は、購入代金に対応した記録可能なプログラム数データ１６ａが情報格納エリア１６に記録されていると共に、必要に応じて、利用者Ａが選択することにより、あるいは販売店側で予め設定された通りに、その他の各データ１６ｂ乃至１６ｆが記録されている。
【００３０】
そして、利用者Ａは、使用者Ｂに、当該ＣＤ−Ｒ１２を例えばプレゼント等として譲渡する。
これにより、使用者Ｂは、このＣＤ−Ｒ１２を店舗４２または自宅４３に設置されたデータ記録部１１を使用して、前述のように、前以て各データ１６ａ乃至１６ｆにより限定された楽曲の中から自分の希望する楽曲を選択して、ＣＤ−Ｒ１２に記録することができる。
【００３１】
ここで、使用者Ｂは、当該ＣＤ−Ｒ１２の情報格納エリア１６に記録されているプログラム数データ１６ｂに従って、記録可能プログラム数を上限として複数の楽曲を選択することができる。その際、全数の楽曲を選択しなかった場合には、前記利用ログデータ１６ｇとして、利用プログラム数が記録されることにより、次回の楽曲記録の際に、プログラム数データ１６ｂ及び利用ログデータ１６ｇから残存プログラム数が認識され、残存プログラム数に応じて、楽曲の記録が可能である。
尚、利用者Ａは、使用者Ｂに譲渡することなく、自分でＣＤ−Ｒ１２に楽曲を記録してもよく、また楽曲を記録したＣＤ−Ｒ１２を使用者Ｂに譲渡してもよい。
【００３２】
上述した実施の形態においては、プリペイド情報として記録可能なプログラム数データ１６ａが情報記録エリア１６に記録され、楽曲の記録に伴って、利用ログデータ１６ｇが情報記録エリア１６に記録されることにより、残存プログラム数が認識されるようになっているが、これに限らず、以下のように、プリペイド情報領域を構成してもよい。
【００３３】
すなわち、例えばプリペイド情報領域として、空きエリアが８００００ブロック（例えば毎秒５０フレームとして１７分４６秒分）あって、パケット長が１ブロックの固定パケットを記録するとすると、全体として、１００００パケットの記録が可能である。従って、プリペイド情報として、１パケットを例えば１円として、既記録部分を既使用金額、未記録部分を残存金額とすることにより、一枚のＣＤ−Ｒ１２により１万円分のプリペイド処理を行なうことができる。
【００３４】
このようにして、情報格納エリア１６のプリペイド情報領域の未記録部分の大きさを残存金額とすることにより、万が一プリペイド情報領域が改ざんされたとしても、既記録部分は消去することができないため、改ざんのために何らか記録を行なうと、その分未記録部分が減少して、残存金額が減少してしまうことになり、改ざんが無意味になってしまう。
【００３５】
また、改ざんの経過は、記録部分に記録された情報をすべてチェックすることにより、検出可能である。これは、プリペイド情報の改ざんは物理的に不可能であり、一旦信号を記録すると消去することができないというＣＤ−Ｒ１２の不可逆性という物理的な特徴を利用するものである。
【００３６】
上述した実施の形態においては、データ記録媒体として追記型のＣＤ−Ｒについて説明したが、追記型でなくともよく、ＭＤ（ミニディスク）や半導体メモリー等の他のデータ記録媒体も利用され得ることは明らかである。
【００３７】
さらに、上述した実施形態においては、利用者Ａが使用者Ｂに例えばプレゼントとしてＣＤ−Ｒ１２を譲渡する場合について説明したが、これに限らず、購入者である利用者Ａが自身で楽曲を記録するようにしてもよいことは明らかである。
【００３８】
また、上述した実施の形態においては、データ記録媒体に対して楽曲を記録する場合について説明したが、これに限らず、他のコンテンツ情報、例えば電子小説や映像さらにはコンピュータプログラム等のプリペイド式記録にも本発明を適用し得ることは明らかである。
【００３９】
以上述べたように、本実施の形態によれば、ＣＤ−Ｒ１２の情報格納エリア１６に、予めプログラム数データ１６ａ等が記録されているので、情報記録時に、データ記録装置１１が、このプログラム数データ１６ａ等の情報を読み出すことによって、要求される楽曲がこのプログラム数データ１６ａ等の情報と合致したとき、要求される楽曲データをＣＤ−Ｒ１２のデータ格納エリア１５に記録すると共に、記録利用データがＣＤ−Ｒ１２の利用ログデータ１６ｇに記録される。
【００４０】
また、追記型のＣＤ−Ｒ１２が使用されることによって、一度記録した情報は書き換えることができないので、改ざんや消去が不可能であり、プログラム数データ１６ａ等の情報の改ざんが効果的に防止されることになる。従って、例えばプリペイド式ＣＤ−Ｒ１２として使用する場合に、プリペイド情報の保護のための特別な対策を行なう必要はなく、容易に且つ低コストで、不正使用が確実に阻止されることになる。
【図面の簡単な説明】
【００４１】
【図１】本発明の実施の形態に係るデータ記録装置の構成を示す概略図である。
【図２】図１のデータ記録装置で使用されるデータ記録媒体としてのＣＤ−Ｒの構成を示す概略図である。
【図３】図２のＣＤ−Ｒの情報格納エリアに記録される各種データを示す概略図である。
【図４】図１のデータ記録部の電気的構成を示すブロック図である。
【図５】図１のデータ記録装置におけるデータ記録媒体としてのＣＤ−Ｒの使用例を示す説明図である。
【符号の説明】
【００４２】
１０      データ記録装置
１１      データ記録部
１２      ＣＤ−Ｒ（データ記録媒体）
１３      情報読み出し部
１４      記録部
１５      データ格納エリア
１６      情報格納エリア
１６ａ      プログラム数データ
１６ｂ      使用期限データ（使用期間限定情報）
１６ｃ      ジャンルデータ（分野限定情報）
１６ｄ      アーティストデータ（権利者限定情報）
１６ｅ      販売業者データ（販売者限定情報）
１６ｆ      権利者データ（権利者限定情報）
１６ｇ      利用ログデータ（記録利用情報）
１７      システムエリア
２０      データ供給部
２１      認証部
２２      データベース
３１      スピンドルモータ
３２      光学ピックアップ
３３      復調回路
３４      再生データ処理回路
３５      条件照合処理部
３６      データ入力力処理部
３７      記録データ処理回路
３８      変調回路
３９      制御部
４０      表示部
４１      キー入力部
【図１】
2008165977.tif 000003
【図２】
2008165977.tif 000004
【図３】
2008165977.tif 000005
【図４】
2008165977.tif 000006
【図５】
2008165977.tif 000007